(57)【要約】【課題】オンデマンド方式の手袋などの温度を、使用者の体感温度に最適な温度に制御するとともに、カイロの使用時間を長くする。【解決手段】手袋１に設けた窓３を介して、移動機構５を動かし、カイロ収納袋２のカイロ収納口４を開閉して、カイロ７の燃焼を制御する。使用者の体感温度に、カイロ７の燃焼を適合させることが可能である。【選択図】      図１
2006130250.tif 000002
【特許請求の範囲】
【請求項１】
酸化発熱タイプのカイロを入れたカイロ収納袋と、当該カイロ収納袋内に供給する空気量を制御する手段を具備し、当該空気の供給を増減して、上記カイロの発熱を所望の値に制御することを特徴とする保温防寒用品。
【請求項２】
上記保温防寒用品は手袋、ルーズソックス若しくはスリッパであることを特徴とする請求項１に記載の保温防寒用品。
【請求項３】
上記手袋は、親指の入る場所および親指以外の４指が一体で入る場所からなり、かつ使用中における発熱の制御を、外部から行なうことが可能であることを特徴とする請求項２に記載の保温防寒用品。
【請求項４】
上記手袋の手のひら側のそれぞれの指は、当該それぞれの指の出し入れが可能な切れ目を有することを特徴とする請求項３に記載の保温防寒用品。
【請求項５】
上記カイロは、上記手袋の中に設けられたカイロ収納袋中に収納され、当該カイロ収納袋の有するカイロ収納口の開閉の度合いを、外部から調節することによって、上記カイロの発熱を制御することを特徴とする請求項３若しくは４に記載の保温防寒用品。
【請求項６】
上記カイロ収納袋の開閉の度合いの調節は、当該カイロ収納袋の入り口の一方の側に設けられた２本の凸ラインに、上記カイロ収納袋の他方の側に設けられた１本の凸ラインを嵌合させることによって行なわれることを特徴とする請求項５に記載の保温防寒用品。
【請求項７】
上記カイロ収納袋内には、カイロに接するサポート材を有し、当該サポート材には、ジャバラ状のしわが形成されていることを特徴とする請求項３乃至６のいずれか一に記載の保温防寒用品。
【発明の詳細な説明】
【技術分野】
【０００１】  本発明は保温防寒用品に関し、詳しくは、必要に応じて発熱を所望の体感温度に制御することができる、オンデマンド方式の手袋、ルーズソックス若しくはスリッパなど、保温防寒用品に関する。
【背景技術】
【０００２】  従来、寒い季節あるいは寒冷地において、たとえば手袋などの保温防寒用品を使用する場合、保温防寒用品の布地や素材などでは対応できないときは、カイロなどの熱源を使用して、不足を補っていた。しかし、カイロなどの熱源は、単に一定時間連続して発熱し、一定温度に加温するのみであって、温度を所望温度に調節したり、加温を断続したりすることはできなかった。
【発明の開示】
【発明が解決しようとする課題】
【０００３】  そのため、カイロがいったん加熱状態になると、加熱が過度になって暑すぎても、加熱を弱くしたり、加熱を中断したりすることができず、無駄な加熱を続ける他なかった。【０００４】  本発明の目的は、従来の保温防寒用品の有する上記問題を解決し、外気温あるいは使用者の個人差によって、それぞれ異なる体感温度に対し、たとえば手袋などの保温防寒用品を着用したまま、所望のときに、発熱温度の調整もしくは断続的な発熱中止が可能で、使用者の体感温度を最適なものにすることが可能な、オンデマンド方式の保温防寒用品を提供することである。
【課題を解決するための手段】
【０００５】  上記課題を解決するため、本発明は、加熱手段としてカイロを用い、空気の供給を外部からコントロールできる、開閉機能を有するカイロ収納袋にカイロを収納することにより、手袋などの保温防寒用品を着用したままの状態で、必要な発熱調整若しくは断続的な発熱を行なうものである。【０００６】  市販のカイロは、通常、鉄粉、活性炭、珪藻土、塩類、その他数種のものからなっている。このようなカイロは、保湿によって孔の表面が活性化された活性炭が、酸素を化学吸着し易い性質を利用して、鉄粉の酸化を促進し、その際に発する酸化発熱エネルギを利用して、カイロとして用いられている。【０００７】  しかし、従来のカイロにおいては、酸化発熱における総エネルギが一定であるため、一度空気に曝すと鉄粉の酸化反応は最後まで進行し、この反応が終わると発熱も終わっていた。すなわち、従来のカイロにおいては、発熱強度を中途で変えることができないばかりでなく、一度、発熱が始まると、最後まで反応が続き、それを中途で止めることは不可能であった。【０００８】  しかし、本発明においては、空気の供給をコントロールするための、開閉機能を有するカイロ収納袋中にカイロを収納する。カイロ収納袋の開閉機能を開いて（開き方を大きくして）、カイロへの空気の供給量を増加させると、発熱は促進されて体感温度は上昇する。しかし、カイロ収納袋の開閉機能を用いて、カイロへの空気の供給を減少させれば、発熱は減少し、空気の供給を停止すれば、カイロの発熱は停止する。開閉機能の開き方を小さくして、カイロ収納袋内への空気供給量を減少させれば、カイロの発熱量は低下するが、持続可能な加熱時間は長くなる。【０００９】  したがって、外気温などの諸条件に応じてカイロ収納袋の開き方を調節すれば、酸化発熱のエネルギは最適の範囲に調節され、使用者の体感温度に最も適合した温度に調節される。カイロ収納袋を完全に閉じて空気の流入を遮断すればれば、カイロの発熱は停止して、温度は低下するので、不使用の際は、単にカイロ収納袋を閉じればよく、実用上簡便である。【００１０】  カイロ収納袋としては、例えばポレチレンなど、空気の流入を阻止し、気密を保持できる多くの材料の薄膜を用いることができる。また、これら収納袋の開閉には、後記のように、凸部の嵌合（嵌め合わせ）を利用したファスナーを用いるのが、最も簡便である。また、収納袋内のカイロの発熱機能が停止したときは、そのカイロを収納袋から取り出し、未使用の新しいカイロと入れ替えればよい。
【発明の効果】
【００１１】  寒い季節や寒冷地などにおいて、手袋などの防寒用品を用いても、なお寒く感じることもあり、手袋などの保温用品に、さらにカイロを併用することは、実用上有効である。しかし、従来のカイロは体感温度の調節ができないばかりでなく、断続的に使用することができず、一度、使用を始めると、寿命が終わるまで使用を続ける他なかった。そのため、過度に加温されてしまって、使用者が暑過ぎて不快になることがり、しかも、カイロの消耗が大きく、経済的にも不利であった。【００１２】  しかし、本発明においては、カイロの発熱量を調節できるばかりでなく、断続して使用することも可能であるため、使用者の好みに合わせて、最適の体感温度に調節することができ、極めて快適である。しかも、断続使用の場合の発熱エネルギの消費量は、連続して使用する場合にくらべてはるかに少ない。さらに、カイロを不使用の際には、カイロ収納袋内への空気の供給を閉じて、「切」の状態にすればよく、その間はカイロのエネルギは消費されない。カイロが不使用の場合であっても、カイロの発熱停止が不可能で、エネルギを消費する他なかった従来のカイロにくらべて、大きな利点である。
【発明を実施するための最良の形態】
【００１３】  本発明は、酸化発熱タイプのカイロを入れるカイロ収納袋と、このカイロ収納袋に供給する空気量を制御する手段を具備し、当該空気の供給量を増減して、カイロの発熱を所望の値に制御する。上記保温防寒用品として、手袋の他に、例えば、ルーズソックスやスリッパなどが、あげられる。【００１４】  上記手袋は、親指を入れる場所、および親指以外の人差し指、中指、薬指および小指の４指をまとめて一体で入れる場所からなり、かつ使用中における発熱の制御を外部から行なうことが可能な形状を有している。【００１５】  上記手袋は、４本の指がまとめて一つにされていて、ものをつかんだりするのにやや不便なので、この手袋の手のひら側には、それぞれの指の出し入れが可能な、切れ目が設けられている。【００１６】  カイロは、上記手袋の中に設けられたカイロ収納袋中に収納され、カイロ収納袋の有するカイロ収納口の開閉の度合いを、外部から調節することによって、カイロの発熱が制御される。【００１７】  カイロ収納袋の開閉の度合いの調節は、カイロ収納袋の口の一方の側に設けられた二本の凸ラインの間に、他方の側に設けられた一本の凸ラインを、使用者が外部から嵌合する（嵌め合わす）ことによって行なわれる。すなわち、両側の凸ラインが完全に嵌合すれば、カイロ収納袋の口は完全に閉じ、両側の凸ラインが嵌合せずに開けば、カイロ収納袋の口は開く。この操作は、外部機構（スライダー）の位置を外部から動かせばよく、極めて容易である。【００１８】  上記カイロ収納袋内には、カイロを支えるサポート材を有し、このサポート材にはジャバラ状のシワ若しくはふくらみが形成されている。カイロに接するジャバラ状シワが開いた状態では、開いたシワを通しての空気の流通がスムースに行なわれる。手袋の使用開始の際には、発熱が迅速であることが望ましいが、このように空気の流通がスムースのときは、発熱も迅速であり、実用上好ましい。また、カイロと接しない側では、カイロと肌の間に空気の層ができ、肌に対してソフトな保温や低温やけどの防止に有効である。
【実施例１】
【００１９】  本発明を手袋に応用した例を説明する。図１は、左手用の手袋１を上（手の甲）側から見た図である。親指が入る部分ａ１と、親指以外の４本の指が入る部分ａ２に二分されている。手袋の中に配置されているカイロ収納袋２も、親指が入る部分ｂ１と、親指以外の指が入る部分ｂ２からなっている。また、手首が入る口の付近には、空気の供給を操作するための操作用窓３が設けられている。なお、図１において、ａ３は手袋の、手の甲側の表面である。【００２０】  カイロ収納袋２の保温効率を向上させるために、親指以外の４本の指の入る個所ａ２を一体に構成した。しかし、このようにすると、指先の動作がやや不便になるので、図２に示したように、手袋１の内側（手のひら側）の、親指が入る部分ｃ１およびそれ以外の指が入る部分ｃ２に、親指に対応した切れ目ｃ４、および人指し指、中指、薬指および小指に、それぞれ対応した切れ目ｃ５〜ｃ８を、指の付け根からそれぞれ設け、各指を切れ目から出して自由に動かすことができるようにした。なお、図２において、ｃ３は手袋の、手のひら側の表面である。【００２１】  手袋１内にカイロ収納袋２が配置された図１の、Ａ−Ａ′断面図を図３に示した。カイロ収納袋２のカイロ収納口４には、移動機構（スライダー）５が設けられ、窓３を介して露出されており、手袋を嵌めた状態で、移動機構５の位置を調節し、所望の温度にすることができる。なお、図１において、手袋１に設けた操作用窓３のみが示されており、カイロ収納袋２に設けられた移動機構５およびカイロ収納口４は、図示が省略されている。【００２２】  左手用のカイロ収納袋２の上から見た平面構造を、図４に示した。図４に示したように、カイロ収納袋２には、カイロ収納口９が設けられており、移動機構５を、図４では上下方向に動かすことによって開閉される。【００２３】  カイロ収納口９の一方の面には一本の凸ラインを設けられ、他方の面の上記凸ラインに対応した位置に、この凸ラインを挟み込むように、二本の凸ラインが設けられている。移動機構５を親指ｂ１の側に動かすと、図５（１）に示したように、移動機構５が通った部分の一本の凸ラインは、二本の凸ラインによって嵌合された状態８になり、カイロ収納口は封じられ、空気の供給は減少若しくは停止する。【００２４】  移動機構５を小指ｂ２の側に動かすと、嵌合されて封じられた凸ラインは、挟み込みブロック６によって、分離されて嵌合されていない状態９にもどり、収納口が開いて、カイロ収納袋２の中には空気が供給される。このように、移動機構５を動かすことによって、カイロ７への空気の供給を変化させることができる。【００２５】  図５（１）に示すように、移動機構５を親指ｂ１の側に移動させると、移動した部分は、移動機構５の挟み込みブロック６によって閉じた状態８になる。移動しない部分は、結合されない部分９になって、この部分は開いた状態を保つ。【００２６】  上記カイロ７への空気の供給や調節は、手袋１の表面に形成された窓３を介して行なわれるので、手袋を使用したままの状態で行なうことが可能であり、実用上、極めて便利である。【００２７】  手の湾曲した部分、もしくは指の関節などに、またがるようにカイロを使用する場合、カイロを容易に曲げることができることが、好ましい。しかし、使用したカイロの粉末が、使用中に移動したり、偏在したりするのは好ましくない。図６はそれを防止するための方法であり、カイロ収納袋ｂ２内のカイロ７に接して、ジャバラ状のふくらみ空間若しくはシワ１１を有するサポート材１０を設けた。これにより、図６（１）に示したまっすぐな場合のみでなく、図６（２）に示した屈曲した場合であっても、カイロの移動や偏在は防止されて、支障なく使用することができる。【００２８】  上記サポート材１０はジャバラ状のシワを有し、その一端は上記カイロ収納袋の開閉機構（図６には図示されていない）と連動している。そのため、開閉機能を開くと、ジャバラ状シワ１１は開いた状態になり、開閉機能を閉じると、ジャバラ状シワ１１も閉じた状態になる。すなわち、開閉機構の開閉に対応して、ジャバラ状シワ１１の開閉が行なわれる。ジャバラ状のシワ１１が開いた状態にあると、カイロ７に流入する空気の量が著しく増加するので、温度が急上昇し、使用者にとって、極めて好都合である。
【実施例２】
【００２９】  本発明の第２の実施例は、一般にルーズソックスと呼ばれるものに、本発明を適用したもので、足首の部分の保温に特に好適である。すなわち、通常の靴下は、脛から足首を経て、足の指先までを被うのが通常である。しかし、ルーズソックスは、脛と足首のみを被う、円筒状の防寒具であり、足首より先の部分は被われない。この円筒状の部分に、上記実施例１と同様に、カイロ収納袋を配置し、その外側に、移動機構を動かすための窓を設けた。これにより、ルーズソックスを着用したま、容易にカイロ収納袋を開閉して、カイロの調節を行ない、体感温度を最適にすることができた。
【実施例３】
【００３０】  本発明の第３の実施例は、本発明をスリッパに適用した例である。スリッパは足の先端近くの部分のみが覆われ、他の部分は露出されている。そのため、指以外の部分までが覆われている通常の靴などに比較して、体感温度が低いという欠点がある。【００３１】  しかし、実施例１、２と同様に、足の先端部を覆う部分にカイロの収納袋を設け、移動機構を動かすための窓を設けた。これにより、容易にカイロ収納袋を開閉して、カイロの調節を行ない、体感温度を最適にすることができた。
【産業上の利用の可能性】
【００３２】  本発明は、カイロを連続して使用するのではなく、使用時のみに断続して使用できるので、最適温度に保温することが可能である。そのため、従来は使用が困難であった、多くの保温防寒用品も、本発明によって使用することが可能になり、カイロの節約にも極めて有効である。
【図面の簡単な説明】
【００３３】
【図１】本発明の左の手袋を上側から見た図。
【図２】本発明の左の手袋の手のひら側を示す図。
【図３】本発明の手袋の断面構造を示す図。
【図４】カイロ収納袋の構造を示す図。
【図５】カイロ収納袋の開閉を説明するための図。
【図６】カイロの移動や偏在の防止を説明するための図。
【符号の説明】
【００３４】  １…手袋、２…カイロ収納袋、３…窓、４…収納口、５…移動機構、６…挟み込みブロック、７…カイロ、８…カイロ収納口が閉じた状態、９…カイロ収納口が開いた状態、１０…サポート材、１１…ジャバラ状シワ、ａ１…親指の入る所、ａ２…親指以外の指の入る所、ａ３…手袋の手の甲側の表面、ｂ１…カイロ収納袋の親指が入る所、ｂ２…カイロ収納袋の親指以外の指が入る所、ｃ１…親指の入る所、ｃ２…親指以外の指の入る所、ｃ３…手袋の手の平の部分の表面、ｃ４…親指用切れ目、ｃ５…人差し指用切れ目、ｃ６…中指用切れ目、ｃ７…薬指用切れ目、ｃ８…小指用切れ目。
【図１】
2006130250.tif 000003
【図２】
2006130250.tif 000004
【図３】
2006130250.tif 000005
【図４】
2006130250.tif 000006
【図５】
2006130250.tif 000007
【図６】
2006130250.tif 000008